(57)【要約】      （修正有）【課題】より大きな電力の電気製品への給電に適させ、より長い時間の安定な給電を確保できる可動式発電装置を提供する。【解決手段】牽引式エネルギー貯蔵室は、牽引車体１、巻取式フレキシブル封止太陽光発電装置２及び電気システム３を備えており、巻取式フレキシブル封止太陽光発電装置２は、牽引車体１内に設置され、巻取機械装置及び巻取式フレキシブル太陽光発電ストリップ４を備え、巻取式フレキシブル太陽光発電ストリップ４は、巻取機械装置に巻き付けられ、電気システムは巻取式フレキシブル太陽光発電ストリップ４に接続される。【選択図】図１
2019009990.tif 000002
【特許請求の範囲】
【請求項１】
フレキシブル太陽光発電に基づく牽引式エネルギー貯蔵室であって、
展延可能な牽引車体、巻取式フレキシブル封止太陽光発電装置、発電回路装置及びパネルを備え、
前記巻取式フレキシブル封止太陽光発電装置は展延可能な牽引車体内に設置され、巻取機械装置及び巻取式フレキシブル太陽光発電ストリップを備え、前記巻取式フレキシブル太陽光発電ストリップは巻取機械装置に巻き付けられ、
前記発電回路装置は巻取式フレキシブル太陽光発電ストリップに接続され、
前記パネルはローラの側面中心位置に設置され、パネルに入出力ポートが設置されて、パネル回路、保護回路、発電回路装置に接続されることを特徴とするフレキシブル太陽光発電に基づく牽引式エネルギー貯蔵室。
【請求項２】
巻取式フレキシブル太陽光発電ストリップは複数の巻取式フレキシブル封止アセンブリモジュールで構成され、巻取式フレキシブル封止アセンブリモジュールは封止布、ケーブル、フレキシブル太陽電池アセンブリで構成されることを特徴とする請求項１に記載の牽引式エネルギー貯蔵室。
【請求項３】
巻取式フレキシブル封止アセンブリモジュールは、複数枚のフレキシブル太陽電池アセンブリを１枚の封止布に貼り付けてなり、前記封止布は縁部を折り返して包み効果をもたらし、シーラントでアセンブリの４つの辺を包むことを特徴とする請求項２に記載の牽引式エネルギー貯蔵室。
【請求項４】
封止布の表面に細管状収納用内ポケットが設置され、それはケーブルを収納することに用いられ、前記細管状収納用内ポケットは全体的なレイアウトが「Ｈ」型を呈し、中央横線部は１つの横列アセンブリの直列接続に用いられ、両側垂直部はバスケーブルハーネスの配置に用いられ、前記巻取式フレキシブル封止アセンブリモジュールの４つの端部に「Ｔ」型バス装置が設計されて接続ポートが予め準備され、それは２つの巻取式フレキシブル封止アセンブリモジュールの電気的並列接続、又は巻取式フレキシブル封止アセンブリモジュールとローラ内部の電気製品装置との電気的接続に用いられ、
「Ｔ」型バス装置はケーブル及びコネクタで構成され、３つの同じコネクタ端子を有し、電気上のスリーウェイ機能を形成し、コネクタは防水シール機能を有することを特徴とする請求項３に記載の牽引式エネルギー貯蔵室。
【請求項５】
複数の巻取式フレキシブル封止アセンブリモジュールは並列接続されて標準列を形成し、一組のバスケーブルを利用し、それは標準列数の数量と同じであり、各組のバスケーブルは最大電力追跡装置に接続され、各組のバスケーブルは一本の正極ケーブルと一本の負極ケーブルを含むことを特徴とする請求項４に記載の牽引式エネルギー貯蔵室。
【請求項６】
前記巻取機械装置はローラ、ロッカーアーム及びアシストモータを備え、
前記ローラは巻取式封止アセンブリの巻き付け収納に用いられ、ローラの両端にフランジが設計され、アセンブリの位置制限に用いられ、前記ロッカーアームは収納可能なロッカーアームであり、ローラを回転することに用いられ、アシストモータはローラと連動し、電力でローラを回転し、
前記ローラの直径は５５０ｍｍ以下であることを特徴とする請求項５に記載の牽引式エネルギー貯蔵室。
【請求項７】
各巻取式フレキシブル封止アセンブリモジュールにおける封止布の両端に複数のほぞ穴、係止口が設置され、それらは固定、懸架又は複数の切地同士の機械的接続に用いられ、封止布の両端に切地と等幅の細長い棒状の硬質材料が設置され、それは切地を横切って、切地の支持に用いられ、切地が使用中に変形することを防止することを特徴とする請求項６に記載の牽引式エネルギー貯蔵室。
【請求項８】
前記牽引式エネルギー貯蔵室は貼り付け式フレキシブル太陽電池アセンブリ装置を更に備え、それはエネルギー貯蔵室の頂部及び側立面に直接実装され、３つの標準列を構成し、前記貼り付け式フレキシブル太陽電池アセンブリ装置はＥＴＦＥフレキシブル封止設計を用いたフレキシブル太陽電池アセンブリであり、牽引車の開閉可能な頂部及び立面側板に直接実装されると同時に、カバープレート・配線ダクトを有し、貼り付け式フレキシブル太陽電池アセンブリ装置は発電回路装置に接続されることを特徴とする請求項７に記載の牽引式エネルギー貯蔵室。
【請求項９】
ローラの内部に発電回路装置が設置され、前記巻取機械装置の内部に電気システムが設置され、電気システムは最大電力追跡装置、直流電源、充電回路、交流電源、電池及びパネル回路を備え、各組のバスケーブルは最大電力追跡装置に接続され、次に直流電源を通してからそれぞれ電池及び／又は交流電源及び／又は充電回路に接続され、保護回路によってパネル回路に接続され、前記直流電源と交流電源との間にインバータが接続されることを特徴とする請求項８に記載の牽引式エネルギー貯蔵室。
【請求項１０】
各最大電力追跡装置ＭＰＰＴの電力は３００〜２０００Ｗであってもよく、好ましくは１５００Ｗであり、
前記直流電源は、変動する太陽光発電を安定する直流電源に転換し、電池を充電し、外部直流電気製品を動かして、及びインバータに給電し動作させることに用いられ、直流電源は５Ｖ、１２Ｖ、２４Ｖの複数の電圧レベルの直流電流を出力することができ、電力は３００〜１５００Ｗであってもよく、好ましくは８００Ｗであり、
前記交流電源にインバータが付けられ、それは直流電源又は電池からの直流電流をインバータによって１１０Ｖ又は２２０Ｖの交流電源に転換して外部交流電気製品に供給して使用することに用いられ、電力は１０００〜３０００Ｗであってもよく、好ましくは２０００Ｗであり、
電池はエネルギーの蓄積に用いられ、ゲル電池、リチウム電池を利用してもよく、蓄積エネルギーは１０００Ｗｈ〜５０００Ｗｈであってもよく、好ましくは３０００Ｗｈであり、
充電回路は、交流電流を電池への充電に使用できるように転換し、外部に日光がなく又は太陽光発電を利用しない時、外部から接続される交流電流を利用して電池を充電し、
パネル回路は保護回路及びパネルを備え、保護回路はヒューズを利用して出力電源を保護し、短絡を防止し、パネルは交流コンセント、直流コンセント、ＵＳＢコンセント、充電インタフェースで構成されることを特徴とする請求項９に記載の携帯型巻軸式太陽光発電装置。
【請求項１１】
牽引式エネルギー貯蔵室であって、
牽引車体、巻取式フレキシブル封止太陽光発電装置及び電気システムを備え、
前記巻取式フレキシブル封止太陽光発電装置は牽引車体内に設置され、巻取機械装置及び巻取式フレキシブル太陽光発電ストリップを備え、前記巻取式フレキシブル太陽光発電ストリップは前記巻取機械装置に巻き付けられ、
前記電気システムは前記巻取式フレキシブル太陽光発電ストリップに接続される牽引式エネルギー貯蔵室。
【請求項１２】
前記巻取機械装置はローラを備え、前記牽引式エネルギー貯蔵室はパネルを更に備え、前記パネルは前記ローラの側面中心位置に設置され、前記パネルに入出力ポートが設置されて、前記電気システムに接続される請求項１１に記載の牽引式エネルギー貯蔵室。
【請求項１３】
前記牽引車体は展延でき、開閉可能な側板及び開閉可能な頂板を用いる請求項１１又は１２に記載の牽引式エネルギー貯蔵室。
【請求項１４】
前記巻取式フレキシブル太陽光発電ストリップは、複数の巻取式フレキシブル封止アセンブリモジュールを備え、前記巻取式フレキシブル封止アセンブリモジュールは、
封止布、
前記封止布に貼り付けられる１つのフレキシブル太陽電池アセンブリ、又は前記封止布に貼り付けられる複数のフレキシブル太陽電池アセンブリ、及び
ケーブルを備える請求項１１〜１３のいずれか一項に記載の牽引式エネルギー貯蔵室。
【請求項１５】
前記封止布は縁部を折り返して包み効果をもたらし、前記フレキシブル太陽電池アセンブリの４つの辺はシーラントで包まれている請求項１４に記載の牽引式エネルギー貯蔵室。
【請求項１６】
前記封止布の表面に細管状収納用内ポケットが設置され、それはケーブルを収納することに用いられる請求項１４又は１５に記載の牽引式エネルギー貯蔵室。
【請求項１７】
前記複数のフレキシブル太陽電池アセンブリは前記封止布に横列され、前記ケーブルは前記横列されたフレキシブル太陽電池アセンブリを直列接続する直列ケーブル、及び複数の前記巻取式フレキシブル封止アセンブリモジュールを並列接続するバスケーブルハーネスを備える請求項１４〜１６のいずれか一項に記載の牽引式エネルギー貯蔵室。
【請求項１８】
前記封止布の表面に細管状収納用内ポケットが設置され、前記細管状収納用内ポケットは全体的なレイアウトが「Ｈ」型を呈し、中央水平部は横列された前記フレキシブル太陽電池アセンブリの間の前記直列ケーブルを収納するように設置され、両側垂直部は前記バスケーブルハーネスを配置するように設置される請求項１７に記載の牽引式エネルギー貯蔵室。
【請求項１９】
前記巻取式フレキシブル封止アセンブリモジュールの２つ又は４つの端部に「Ｔ」型バス装置が設計されてコネクタが予め準備され、前記コネクタは２つの前記巻取式フレキシブル封止アセンブリモジュールの電気的並列接続を実現するように設置され、又は前記巻取式フレキシブル封止アセンブリモジュールと前記電気システムとの接続を実現するように設置される請求項１４〜１８のいずれか一項に記載の牽引式エネルギー貯蔵室。
【請求項２０】
複数の前記巻取式フレキシブル封止アセンブリモジュールは一組のバスケーブルによって並列接続され、標準列を形成し、各組のバスケーブルは前記電気システムに設置された１つの最大電力追跡装置に接続され、各組のバスケーブルは一本の正極ケーブルと一本の負極ケーブルを含む請求項１４〜１９のいずれか一項に記載の牽引式エネルギー貯蔵室。
【請求項２１】
前記巻取機械装置はローラ、ロッカーアーム及びアシストモータを備え、
前記ローラは前記巻取式フレキシブル太陽光発電ストリップを巻き付け収納するように設置され、両端にフランジを有し、
前記ロッカーアームは収納可能なロッカーアームであり、前記ローラを回転するように設置され、
前記アシストモータは前記ローラと連動し、電力で前記ローラを回転するように設置される請求項１１〜２０のいずれか一項に記載の牽引式エネルギー貯蔵室。
【請求項２２】
各前記巻取式フレキシブル封止アセンブリモジュールにおける封止布の両端にほぞ穴、バックル及び硬質材料のうちの一種又は複数種が設置され、
前記ほぞ穴は複数あり、２つの前記巻取式フレキシブル封止アセンブリモジュールをラッピイングするように設置され、
前記バックルは２つの前記巻取式フレキシブル封止アセンブリモジュールを接着接続するように設置され、
前記硬質材料は前記封止布と等幅であり、細長い棒状を呈し、前記封止布の両端に設置され、前記封止布を横切る請求項１４〜２１のいずれか一項に記載の牽引式エネルギー貯蔵室。
【請求項２３】
前記牽引式エネルギー貯蔵室はフレキシブル太陽電池アセンブリ装置を更に備え、前記フレキシブル太陽電池アセンブリ装置は牽引車体の頂板及び側板に直接実装され、前記フレキシブル太陽電池アセンブリ装置は前記電気システムに接続される請求項１１〜２２のいずれか一項に記載の牽引式エネルギー貯蔵室。
【請求項２４】
牽引車体の頂板及び側板に実装される前記フレキシブル太陽電池アセンブリ装置は３つの標準列を構成し、各標準列は前記電気システムにおける１つの最大電力追跡装置に接続される請求項２３に記載の牽引式エネルギー貯蔵室。
【請求項２５】
前記電気システムは、
最大電力追跡装置と、
前記最大電力追跡装置に接続される直流電源と、
保護回路を含み、前記直流電源に接続されるパネル回路と、を備え、
前記パネル回路はパネルの入出力ポートに接続される請求項１１〜２４のいずれか一項に記載の牽引式エネルギー貯蔵室。
【請求項２６】
前記電気システムは前記直流電源に接続される電力貯蔵用電池、交流電源及び充電回路のうちの一種又は複数種を更に備え、
前記電力貯蔵用電池はエネルギーを蓄積するように設置され、
前記交流電源にインバータが付けられ又はインバータによって前記直流電源に接続されて、前記保護回路に接続されるように設置され、それにより外部交流電気製品に給電し、
前記充電回路は外部から接続される交流電流を利用して前記電力貯蔵用電池を充電するように設置される請求項２５に記載の牽引式エネルギー貯蔵室。
【請求項２７】
前記牽引式エネルギー貯蔵室は、前記牽引車体に接続される牽引フック及び前記牽引フックに設置される電源インタフェース回路を更に備え、前記電源インタフェース回路は前記電気システムに接続され、外部電力消費車両に給電するように設置される請求項１１〜２６のいずれか一項に記載の牽引式エネルギー貯蔵室。
【請求項２８】
前記電気システムは前記巻取機械装置の内部に設置される請求項１１〜２７のいずれか一項に記載の牽引式エネルギー貯蔵室。
【発明の詳細な説明】
【技術分野】
【０００１】
本出願は、太陽光発電技術分野に関するが、それらに限らず、特に牽引式エネルギー貯蔵室に関するが、それらに限らない。
【背景技術】
【０００２】
現代社会では主に伝統的な化石エネルギーに依存し、世界の総エネルギー消費量の７４％は石炭、石油、天然ガス等の鉱物エネルギーに由来する。化石エネルギーの応用は社会の発展を促進するが、資源が日増しに消耗し尽くしていく。同時に化石エネルギーを無制限に使用することは、深刻な環境汚染及び気候変動問題を引き起こしてしまう。世界中の国々は次々に再生可能エネルギー及び新エネルギーの発展を将来のエネルギー戦略の重要な構成部分とするが、太陽エネルギーはその中の重要な開発目標の１つである。
【０００３】
それと同時に、人々は太陽電池、特に薄膜等のフレキシブル太陽電池の急速な発展から該問題を解決する希望を見たが、現在、市場には既に対応する製品、例えば太陽充電用紙、太陽充電パック等が出現した。しかしながら、これらの充電装置は短時間の緊急使用のみに適して、太陽光発電が安定せず、大型又は中型電気製品への給電に適しない。
【０００４】
フレキシブル太陽電池パネルの出現に伴い、人々も多くの携帯型太陽光充電装置を開発したが、これらの携帯型太陽光充電装置は多くの欠点を有し、例えば利用可能な太陽電池パネルの面積が小さすぎ、又は持ち込みに便利ではない。例えば一般的な電池パック構造は二枚の基板を備え、基板同士がヒンジ接続され、基板に太陽電池が設置され、太陽電池に更にルーフカバーが設置され、このような電池パックを折り畳むことができるが、折り畳んでから面積が依然として大きくて、電池パックの厚さも厚く、持ち込みに便利ではなく、且つ収納可能な電池アセンブリの電力も低い。
【発明の概要】
【発明が解決しようとする課題】
【０００５】
以下は本発明を詳しく説明した主題の概説である。本概説は特許請求の保護範囲を制限するためのものではない。
【課題を解決するための手段】
【０００６】
本発明はフレキシブル太陽光発電に基づく牽引式エネルギー貯蔵室を提供し、該装置の細部の設置、封止方法、巻き付け方法及び電気構造の最適化によって、該巻軸式発電装置をより大きな電力の電気製品への給電に適させ及びより長い時間の安定な給電を確保できる。
【０００７】
本発明の実施例はフレキシブル太陽光発電に基づく牽引式エネルギー貯蔵室を開示し、展延可能な牽引車体、巻取式フレキシブル封止太陽光発電装置、発電回路装置及びパネルを備え、前記巻取式フレキシブル封止太陽光発電装置は展延可能な牽引車体内に設置され、巻取機械装置及び巻取式フレキシブル太陽光発電ストリップを備え、前記巻取式フレキシブル太陽光発電ストリップは巻取機械装置に巻き付けられ、前記発電回路装置は巻取式フレキシブル太陽光発電ストリップに接続される。前記パネルはローラの側面中心位置に設置され、パネルに入出力ポートが設置されて、パネル回路、保護回路、発電回路装置に接続される。
【０００８】
更に、巻取式フレキシブル太陽光発電ストリップは複数の巻取式フレキシブル封止アセンブリモジュールで構成され、巻取式フレキシブル封止アセンブリモジュールは封止布、ケーブル、フレキシブル太陽電池アセンブリで構成される。
【０００９】
更に、巻取式フレキシブル封止アセンブリモジュールは、複数枚のフレキシブル太陽電池アセンブリを１枚の耐摩耗性裏地に貼り付けてなり、前記耐摩耗性裏地は縁部を折り返して包み効果をもたらし、シーラントでアセンブリの４つの辺を包む。
【００１０】
更に、封止布の表面に細管状収納用内ポケットが設置され、それはケーブルを収納することに用いられ、前記細管状収納用内ポケットは全体的なレイアウトが「Ｈ」型を呈し、中央横線部は１つの横列アセンブリの直列接続に用いられ、両側垂直部はバスケーブルハーネスの配置に用いられ、前記巻取式フレキシブル封止アセンブリモジュールは、４つの端部に「Ｔ」型バス装置が設計されて、接続ポートが予め準備され、それは２つの巻取式フレキシブル封止アセンブリモジュールの電気的並列接続、又は巻取式フレキシブル封止アセンブリモジュールとローラ内部の電気製品装置との電気的接続に用いられ、
「Ｔ」型バス装置はケーブル及びコネクタで構成され、３つの同じコネクタ端子を有し、電気上のスリーウェイ機能を形成し、コネクタは防水シールを用いる。
【００１１】
更に、複数の巻取式フレキシブル封止アセンブリモジュールは並列接続されて標準列を形成し、一組のバスケーブルを利用し、それは標準列数の数量と同じであり、各組のバスケーブルは最大電力追跡装置に接続され、各組のバスケーブルは一本の正極ケーブルと一本の負極ケーブルを含む。
【００１２】
更に、前記巻取機械装置はローラ、ロッカーアーム及びアシストモータを備え、
前記ローラは巻取式封止アセンブリの巻き付け収納に用いられ、ローラの両端にフランジが設計され、アセンブリの位置制限に用いられ、前記ロッカーアームは収納可能なロッカーアームであり、ローラを回転することに用いられ、アシストモータはローラと連動し、電力でローラを回転し、
前記ローラの直径は５５０ｍｍ以下である。
【００１３】
更に、各巻取式フレキシブル封止アセンブリモジュールにおける封止布の両端に複数のほぞ穴、係止口が設置され、それらは固定、懸架又は複数の切地同士の機械的接続に用いられ、封止布の両端に切地と等幅の細長い棒状の硬質材料が設置され、それは切地を横切って、切地の支持に用いられ、切地が使用中に変形することを防止する。
【００１４】
更に、前記牽引式エネルギー貯蔵室は更に貼り付け式フレキシブル太陽電池アセンブリ装置を備え、それはエネルギー貯蔵室の頂部及び側立面に直接実装され、３つの標準列を構成し、前記貼り付け式フレキシブル太陽電池アセンブリ装置はＥＴＦＥフレキシブル封止設計を用いたフレキシブル太陽電池アセンブリであり、牽引車の開閉可能な頂部及び立面側板に直接実装されると同時に、カバープレート・配線ダクトを有し、貼り付け式フレキシブル太陽電池アセンブリ装置は発電回路装置に接続される。
【００１５】
更に、ローラの内部に発電回路装置が設置され、前記巻取機械装置の内部に電気システムが設置され、電気システムは最大電力追跡装置、直流電源、充電回路、交流電源、電池及びパネル回路を備え、各組のバスケーブルは最大電力追跡装置に接続され、次に直流電源を通してからそれぞれ電池及び／又は交流電源及び／又は充電回路に接続され、保護回路によってパネル回路に接続され、前記直流電源と交流電源との間にインバータが接続される。
【００１６】
更に、各最大電力追跡装置ＭＰＰＴの電力は３００〜２０００Ｗであってもよく、好ましくは１５００Ｗであり、
前記直流電源は、変動する太陽光発電を安定する直流電源に転換し、電池を充電し、外部直流電気製品を動かして、及びインバータに給電し動作させることに用いられ、直流電源は５Ｖ、１２Ｖ、２４Ｖの複数の電圧レベルの直流電流を出力することができ、電力は３００〜１５００Ｗであってもよく、好ましくは８００Ｗであり、
前記交流電源にインバータが付けられ、それは直流電源又は電池からの直流電流をインバータによって１１０Ｖ又は２２０Ｖの交流電源に転換して外部交流電気製品に供給して使用することに用いられ、電力は１０００〜３０００Ｗであってもよく、好ましくは２０００Ｗであり、
電池はエネルギーの蓄積に用いられ、ゲル電池、リチウム電池を利用してもよく、蓄積エネルギーは１０００Ｗｈ〜５０００Ｗｈであってもよく、好ましくは３０００Ｗｈであり、
充電回路は、交流電流を電池への充電に使用できるように転換し、外部に日光がなく又は太陽光発電を利用しない時、外部から接続される交流電流を利用して電池を充電し、
パネル回路は保護回路及びパネルを備え、保護回路はヒューズを利用して出力電源を保護し、短絡を防止し、パネルは交流コンセント、直流コンセント、ＵＳＢコンセント、充電インタフェースで構成される。  
【００１７】
本出願の実施例は更に太陽光発電に基づく牽引式エネルギー貯蔵室を開示し、巻取機械装置を利用して巻取式フレキシブル太陽光発電ストリップに対して巻取収納又は巻き戻し展延を行うことにより、巻取式フレキシブル封止太陽光発電装置の体積を小さくし、携帯しやすくして、発電電力が大きく、より大きな電力の電気製品への給電に適し及びより長い時間の安定な給電を確保できる。
【００１８】
本出願の実施例に係る牽引式エネルギー貯蔵室は牽引車体、巻取式フレキシブル封止太陽光発電装置及び電気システムを備え、
前記巻取式フレキシブル封止太陽光発電装置は牽引車体内に設置され、巻取機械装置及び巻取式フレキシブル太陽光発電ストリップを備え、前記巻取式フレキシブル太陽光発電ストリップは前記巻取機械装置に巻き付けられ、
前記電気システムは前記巻取式フレキシブル太陽光発電ストリップに接続される。
【００１９】
前記エネルギー貯蔵室において、巻取式フレキシブル太陽光発電ストリップは太陽光発電を行うことができるだけでなく、更に可撓性が高く、曲げることができるという特性を有し、該特性を利用し、巻取機械装置と協働して、巻取式フレキシブル太陽光発電ストリップを巻取機械装置に巻取収納して、使用時に巻取機械装置から巻き戻し展延を行うことにより発電することができる。巻取設置によって、巻取式フレキシブル封止太陽光発電装置の体積を小さくし、携帯しやすくして、巻取によって大量のフレキシブル太陽光発電アセンブリの設置に利便性をもたらし、それにより太陽光発電装置の発電電力が大きくなり、安定性が高くなる。また、巻取機械装置は構造が簡単で、故障率が低く、太陽光発電装置が安定して動作することに役立つ。
【００２０】
例示的な一実施例において、前記巻取機械装置はローラを備え、前記牽引式エネルギー貯蔵室はパネルを更に備え、前記パネルは前記ローラの側面中心位置に設置され、前記パネルに入出力ポートが設置されて、前記電気システムに接続される。
【００２１】
例示的な一実施例において、前記牽引車体は展延でき、開閉可能な側板及び開閉可能な頂板を用いる。
【００２２】
例示的な一実施例において、前記巻取式フレキシブル太陽光発電ストリップは、複数の巻取式フレキシブル封止アセンブリモジュールを備え、前記巻取式フレキシブル封止アセンブリモジュールは、
封止布、
前記封止布に貼り付けられる１つのフレキシブル太陽電池アセンブリ、又は前記封止布に貼り付けられる複数のフレキシブル太陽電池アセンブリ、及び
ケーブルを備える。
【００２３】
例示的な一実施例において、前記封止布は縁部を折り返して包み効果をもたらし、前記フレキシブル太陽電池アセンブリの４つの辺はシーラントで包まれている。
【００２４】
例示的な一実施例において、前記封止布の表面に細管状収納用内ポケットが設置され、それはケーブルを収納することに用いられる。
【００２５】
例示的な一実施例において、前記複数のフレキシブル太陽電池アセンブリは前記封止布に横列され、前記ケーブルは前記横列されたフレキシブル太陽電池アセンブリを直列接続する直列ケーブル、及び複数の前記巻取式フレキシブル封止アセンブリモジュールを並列接続するバスケーブルハーネスを備える。
【００２６】
例示的な一実施例において、前記封止布の表面に細管状収納用内ポケットが設置され、前記細管状収納用内ポケットは全体的なレイアウトが「Ｈ」型を呈し、中央水平部は横列された前記フレキシブル太陽電池アセンブリの間の直列ケーブルを収納するように設置され、両側垂直部はバスケーブルハーネスを配置するように設置される。
【００２７】
例示的な一実施例において、前記巻取式フレキシブル封止アセンブリモジュールの２つ又は４つの端部に「Ｔ」型バス装置が設計されてコネクタが予め準備され、前記コネクタは２つの前記巻取式フレキシブル封止アセンブリモジュールの電気的並列接続を実現するように設置され、又は前記巻取式フレキシブル封止アセンブリモジュールと前記電気システムとの接続を実現するように設置される。
【００２８】
例示的な一実施例において、複数の前記巻取式フレキシブル封止アセンブリモジュールは一組のバスケーブルによって並列接続され、標準列を形成し、各組のバスケーブルは前記電気システムに設置された１つの最大電力追跡装置に接続され、各組のバスケーブルは一本の正極ケーブルと一本の負極ケーブルを含む。
【００２９】
例示的な一実施例において、前記巻取機械装置はローラ、ロッカーアーム及びアシストモータを備え、
前記ローラは前記巻取式フレキシブル太陽光発電ストリップを巻き付け収納するように設置され、両端にフランジを有し、
前記ロッカーアームは収納可能なロッカーアームであり、前記ローラを回転するように設置され、
前記アシストモータは前記ローラと連動し、電力で前記ローラを回転するように設置される。
【００３０】
例示的な一実施例において、各前記巻取式フレキシブル封止アセンブリモジュールにおける封止布の両端にほぞ穴、バックル及び硬質材料のうちの一種又は複数種が設置され、
前記ほぞ穴は複数あり、２つの前記巻取式フレキシブル封止アセンブリモジュールをラッピイングするように設置され、
前記バックルは２つの前記巻取式フレキシブル封止アセンブリモジュールを接着接続するように設置され、
前記硬質材料は前記封止布と等幅であり、細長い棒状を呈し、前記封止布の両端に設置され、前記封止布を横切る。
【００３１】
例示的な一実施例において、前記牽引式エネルギー貯蔵室はフレキシブル太陽電池アセンブリ装置を更に備え、前記フレキシブル太陽電池アセンブリ装置は牽引車体の開閉可能な頂板及び側板に直接実装され、前記フレキシブル太陽電池アセンブリ装置は前記電気システムに接続される。
【００３２】
例示的な一実施例において、牽引車体の開閉可能な頂板及び側板に実装されるフレキシブル太陽電池アセンブリ装置は３つの標準列を構成し、各標準列は前記電気システムにおける１つの最大電力追跡装置に接続される。
【００３３】
例示的な一実施例において、前記電気システムは、
最大電力追跡装置と、
前記最大電力追跡装置に接続される直流電源と、
保護回路を含み、前記直流電源に接続されるパネル回路と、を備え、
前記パネル回路はパネルの入出力ポートに接続される。
【００３４】
例示的な一実施例において、前記電気システムは前記直流電源に接続される電力貯蔵用電池、交流電源及び充電回路のうちの一種又は複数種を更に備え、
前記電力貯蔵用電池はエネルギーを蓄積するように設置され、
前記交流電源は、インバータが付けられ又はインバータによって前記直流電源に接続されて、前記保護回路に接続されるように設置され、それにより外部交流電気製品に給電し、
前記充電回路は、外部から接続される交流電流を利用して前記電力貯蔵用電池を充電するように設置される。
【００３５】
例示的な一実施例において、前記牽引式エネルギー貯蔵室は、前記牽引車体に接続される牽引フック及び前記牽引フックに設置される電源インタフェース回路を更に備え、前記電源インタフェース回路は前記保護回路に接続され、外部電力消費車両に給電するように設置される。
【００３６】
例示的な一実施例において、前記電気システムは前記巻取機械装置の内部に設置される。
【発明の効果】
【００３７】
本発明の実施例に係るフレキシブル太陽光発電に基づく牽引式エネルギー貯蔵室の巻取式フレキシブル封止太陽光発電装置は、構造が安定し、故障しにくい。該フレキシブル太陽光発電に基づく牽引式エネルギー貯蔵室は携帯しやすくて、自動車装置で牽引しながら走行でき、外表面に太陽光発電装置が設置され、日光があれば発電でき、フレキシブル太陽光発電に基づく牽引式エネルギー貯蔵室は長時間のオフグリッド環境に適用し、大電力の装置に給電でき、該装置の細部の設置、封止方法、巻き付け方法及び電気構造の最適化によって、該フレキシブル太陽光発電に基づく牽引式エネルギー貯蔵室をより大きな電力の電気製品への給電に適させ及びより長い時間の安定な給電を確保でき、最大電力が３０００Ｗに達する。該フレキシブル太陽光発電に基づく牽引式エネルギー貯蔵室は、占有スペースが小さく、携帯しやすくて、利用率が高く、大型、中型、小型自動車装置のオフグリッド給電に適する。
【００３８】
図面の概説及び本出願の実施形態を精読及び理解してから、他の態様を理解できる。
【図面の簡単な説明】
【００３９】
図面を参照しながら、以下の詳細な説明によって本出願の実施例をより完全に理解でき、及びそれに伴う多くの利点を容易に得られるが、ここに説明された図面は本出願の実施例を更に理解するためのものであり、本出願の実施例の一部となり、本出願の例示的な実施例及びその説明は本出願を解釈するためのものであり、本出願を制限するためのものではない。
【００４０】
【図１】図１は本出願の一実施例に係るフレキシブル太陽光発電に基づく牽引式エネルギー貯蔵室の構造模式図である。
【図２】図２は本出願の一実施例に係る巻取式フレキシブル封止アセンブリモジュールの構造模式図である。
【図２ａ】図２ａは図２に示す巻取式フレキシブル封止アセンブリモジュールの俯瞰構造の断面模式図であり、断面線が図示されていない。
【図２ｂ】図２ｂは図２に示す巻取式フレキシブル封止アセンブリモジュールの左視構造の断面模式図であり、断面線が図示されていない。
【図３】図３は本出願の一実施例に係る２つの巻取式フレキシブル封止アセンブリモジュールを接続した後の構造模式図である。
【図３ａ】図３ａは図３におけるＡ部構造の拡大模式図である。
【図４】図４は本出願の一実施例に係る巻取式フレキシブル封止アセンブリモジュールの回路接続構造の模式図である。
【図５】図５は本出願の一実施例に係る「Ｔ」型バス装置の構造模式図である。
【図６】図６は本出願の一実施例に係る牽引式エネルギー貯蔵室の回路構造の模式図である。
【発明を実施するための形態】
【００４１】
以下、図面を参照しながら実施例によって本発明を更に説明する。
【００４２】
フレキシブル太陽光発電に基づく牽引式エネルギー貯蔵室であって、展延可能な牽引車体１、巻取式フレキシブル封止太陽光発電装置２及び発電回路装置３を備え、  
前記巻取式フレキシブル封止太陽光発電装置２は展延可能な牽引車体１内に設置され、巻取機械装置及び巻取式フレキシブル太陽光発電ストリップ４を備え、前記巻取式フレキシブル太陽光発電ストリップは巻取機械装置に巻き付けられ、  
前記発電回路装置は巻取式フレキシブル太陽光発電ストリップに接続される。
【００４３】
前記パネルはローラの側面中心位置に設置され、パネルに入出力ポートが設置されて、パネル回路に接続される。
【００４４】
牽引式エネルギー貯蔵室本体は牽引車体１であり、牽引フック５で車両に接続され、牽引移動される。
【００４５】
牽引フックに電源インタフェース回路６が設計され、内部のエネルギーを車両に供給して使用する。
【００４６】
牽引式エネルギー貯蔵室の立面は開閉可能な側板を用いて、水平に展延して固定することができる。
【００４７】
牽引式エネルギー貯蔵室の上面は開閉可能な頂板７を用いて、それを開けて角度を調整することができ、それを開けてから内部の装置を操作することができる。
【００４８】
牽引室の正面に機能パネルが設計され、データディスプレイ、機能スイッチ及びエネルギーインタフェースを備える。
【００４９】
巻取式フレキシブル太陽光発電ストリップ４は複数の巻取式フレキシブル封止アセンブリモジュール８で構成され、巻取式フレキシブル封止アセンブリモジュールは封止布９、ケーブル、フレキシブル太陽電池アセンブリ１０で構成され、アセンブリモジュールの数は２〜１０個であり、好ましくは６つであり、
巻取式フレキシブル封止アセンブリモジュールは、複数枚の太陽電池アセンブリを１枚の耐摩耗性裏地に貼り付けてなり、前記耐摩耗性裏地は縁部を折り返して包み効果をもたらし、シーラントでアセンブリの４つの辺を包み、太陽電池アセンブリの数は２〜１２枚であり、好ましくは６枚であり、
封止布の表面に細管状収納用内ポケット１１が設置され、それはケーブルを収納することに用いられ、前記細管状収納用内ポケットは全体的なレイアウトが「Ｈ」型を呈し、中央横線部は横列アセンブリの直列接続に用いられ、図４に示すように、３つの横列アセンブリは水平直列ケーブル１５によってアセンブリアウトレットボックス１４を直列接続し、
両側垂直部はバスケーブルハーネス１６の配置に用いられ、前記巻取式フレキシブル封止アセンブリモジュールの４つの端部に「Ｔ」型バス装置１７が設計されて接続ポート１８が予め準備され、それは２つの巻取式フレキシブル封止アセンブリモジュールの電気的並列接続又は巻取式フレキシブル封止アセンブリモジュールとローラ内部の電気製品装置との電気的接続に用いられる。導線が外縁に沿って配線される設計によって巻軸の厚さを減少させることができると同時に、巻軸の垂直機械的強度を向上させることもできる。
【００５０】
封止布の表面の縁部に細管状収納用内ポケットが設計され、それはケーブルの配線及び接続に用いることができ、収納用内ポケットはアセンブリの後部と裏地との間に設置される。
【００５１】
図５に示すように、「Ｔ」型バス装置はケーブル１９及びコネクタ１３で構成され、３つの同じコネクタ端子を有し、電気上のスリーウェイ機能を形成し、コネクタは防水シールを用いる。
【００５２】
巻取式フレキシブル封止アセンブリモジュールはモジュール化設計を用いて、先端と末端との接続によって、並列接続を実現し、電気容量の増加効果を実現することができる。
【００５３】
複数の巻取式フレキシブル封止アセンブリモジュールは並列接続されて標準列を形成し、一組のバスケーブルを利用し、それが標準列数の数量と同じである、各組のバスケーブルは最大電力追跡装置に接続され、各組のバスケーブルは一本の正極ケーブルと一本の負極ケーブルを含む。各標準列はいずれも１つのＭＰＰＴ装置に対応し、このような設計によって標準列の最適な独立した発電制御を確保し、一部が破損、遮蔽されて、引き出されていなくても、正常の標準列は依然として最大効果で発電できる。
【００５４】
前記巻取機械装置はローラ、ロッカーアーム及びアシストモータ８を備え、
前記ローラは巻取式封止アセンブリの巻き付け収納に用いられ、ローラの両端にフランジが設計され、アセンブリの位置制限に用いられ、前記ロッカーアームは収納可能なロッカーアームであり、ローラを回転することに用いられ、アシストモータはローラと連動し、電力でローラを回転し、前記ローラの直径は５００ｍｍである。
【００５５】
更に、各巻取式フレキシブル封止アセンブリモジュールにおける封止布の両端に複数のほぞ穴１１、バックル１２が設置され、それらは固定、切地同士の機械的接続に用いられ、封止布の両端に切地と等幅の細長い棒状の硬質材料が設置され、それは切地を横切って、切地の支持に用いられ、切地が使用中に変形することを防止し、巻軸の水平機械的強度を向上させることができる。
【００５６】
モジュール同士はコネクタ１３によって挿着されて発電回路に並列接続され、２つのモジュールはほぞ穴１１でラッピイングされ及び面ファスナー１２で接着接続される。
【００５７】
前記牽引式エネルギー貯蔵室は貼り付け式フレキシブル太陽電池アセンブリ装置を更に備え、それはエネルギー貯蔵室の頂部及び側立面に直接実装され、３つの標準列を構成し、前記貼り付け式フレキシブル太陽電池アセンブリ装置はＥＴＦＥフレキシブル封止設計を用いたフレキシブル太陽電池アセンブリであり、牽引車の開閉可能な頂部及び立面側板に直接実装され、カバープレート・配線ダクトが設計される。
【００５８】
ローラの内部に発電回路装置が設置され、前記巻取機械装置の内部に電気システムが設置され、電気システムは最大電力追跡装置、直流電源、充電回路、交流電源、電池及びパネル回路を備え、各組のバスケーブルは最大電力追跡装置に接続され、次に直流電源を通してからそれぞれ電池及び／又は交流電源に接続され、最終的にパネル回路に接続され、前記直流電源と交流電源との間にインバータが接続される。
【００５９】
各最大電力追跡装置ＭＰＰＴの電力は１２００Ｗであってもよく、
前記直流電源は、変動する太陽光発電を安定する直流電源に転換し、電池を充電し、外部直流電気製品を動かして、及びインバータに給電し動作させることに用いられ、直流電源は５Ｖ、１２Ｖ、２４Ｖの複数の電圧レベルの直流電流を出力することができ、電力は１０００Ｗであってもよく、
前記交流電源にインバータが付けられ、それは直流電源又は電池からの直流電流をインバータによって１１０Ｖ又は２２０Ｖの交流電源に転換して外部交流電気製品に供給して使用することに用いられ、電力は１２００Ｗであってもよく、
電池はエネルギーの蓄積に用いられ、リチウム電池を利用してもよく、蓄積エネルギーは２０００Ｗｈであってもよく、
充電回路は、交流電流を電池への充電に使用できるように転換し、外部に日光がなく又は太陽光発電を利用しない時、外部から接続される交流電流を利用して電池を充電し、
パネル回路は保護回路及びパネルを備え、保護回路はヒューズを利用して出力電源を保護し、短絡を防止し、パネルは交流コンセント、直流コンセント、ＵＳＢコンセント、充電インタフェースで構成される。
【００６０】
使用時に、フレキシブル太陽光発電に基づく牽引式エネルギー貯蔵室は自動車の後部に牽引されて、牽引システムにおけるインタフェース回路によって自動車に給電し、エネルギー貯蔵室のトップカバー及び側板はいずれも発電し、電気エネルギーを生成することができ、大電力で発電する必要がある時、トップカバーを開けると、巻軸上の巻取式フレキシブル太陽光発電ストリップを展延し、発電することができ、内部に電力貯蔵用電池が設置されるため、日光が十分でない場合でも安定して給電でき、該フレキシブル太陽光発電に基づく牽引式エネルギー貯蔵室は長時間の野外使用に適して、電力がより大きな電気製品に給電できると同時に、収納しやすく、使用しない時、占有スペースがより小さい。
【００６１】
以下、フレキシブル太陽光発電に基づく牽引式エネルギー貯蔵室を更に詳しく説明する。
【００６２】
図１には本出願の実施例に係るフレキシブル太陽光発電に基づく牽引式エネルギー貯蔵室を示し、展延可能な牽引車体１、巻取式フレキシブル封止太陽光発電装置２及び電気システム３を備え、
前記巻取式フレキシブル封止太陽光発電装置２は展延可能な牽引車体１内に設置され、巻取機械装置及び巻取式フレキシブル太陽光発電ストリップ４を備え、前記巻取式フレキシブル太陽光発電ストリップ４は巻取機械装置に巻き付けられ、  
前記電気システムは巻取式フレキシブル太陽光発電ストリップ４に接続される。
【００６３】
巻取式フレキシブル太陽光発電ストリップ４は太陽光発電を行うことができ、且つ可撓性を有し、曲げることができる。巻取機械装置は回転でき、それにより巻取式フレキシブル太陽光発電ストリップ４を巻取機械装置に巻き付け、巻取式フレキシブル太陽光発電ストリップ４を収納し、巻取式フレキシブル封止太陽光発電装置２の体積を小さくし、携帯しやすくし、巻取機械装置は更に逆回転でき、それによりその上に巻き付けられた巻取式フレキシブル太陽光発電ストリップ４を巻き戻すことで、巻取式フレキシブル太陽光発電ストリップ４を展延させ、巻取式フレキシブル太陽光発電ストリップ４の受光面積を増加させ、巻取式フレキシブル封止太陽光発電装置２の発電電力を増加させる。
【００６４】
該牽引式エネルギー貯蔵室の牽引車体１は自動車等の装置で牽引移動でき、更に牽引車体１内に取り付けられる巻取式フレキシブル封止太陽光発電装置２を同時に移動させ、それにより牽引式エネルギー貯蔵室を携帯しやすくして、利用率を高くする。巻取式フレキシブル封止太陽光発電装置２は発電電力が大きいため、牽引式エネルギー貯蔵室は長時間のオフグリッド環境に適し、大電力の装置に給電でき、且つより長い時間の安定な給電を確保でき、大型、中型、小型自動車装置のオフグリッド給電に適する。
【００６５】
巻取機械装置はローラを備え、ローラは異なる方向に向かって回転する時に巻取式フレキシブル太陽光発電ストリップ４に対して巻取収納又は巻き戻し展延を行うことができる。パネルはローラの側面中心位置に設置され、パネルに入出力ポートが設置されて、パネル回路に接続される。
【００６６】
電気システムが巻取式フレキシブル太陽光発電ストリップ４に電気的に接続されることにより、巻取式フレキシブル太陽光発電ストリップ４に生じた電気エネルギーを電気システムに伝送し、電気システムはパネルの入出力ポートを介して外部装置に給電する。
【００６７】
牽引式エネルギー貯蔵室本体は牽引車体１であり、牽引フック５で牽引車両に接続され、牽引移動する。
【００６８】
牽引フック５に電源インタフェース回路６が設計され、内部のエネルギーを外部電力消費車両に供給して使用し、例えば、牽引式エネルギー貯蔵室の牽引車、キャンピングカー、パトロールカー、救急車、消防車、自動車等が挙げられる。
【００６９】
牽引式エネルギー貯蔵室の立面は開閉可能な側板を用いて、水平に展延して固定することができる。
【００７０】
牽引式エネルギー貯蔵室の上面は開閉可能な頂板７を用いて、開き角を調整することができ、それを開けてから内部の装置を操作することができる。
【００７１】
牽引式エネルギー貯蔵室の正面に機能パネルが設計され、機能パネルはデータディスプレイ、機能スイッチ及びエネルギーインタフェースを備える。
【００７２】
外部電力消費車両に給電するエネルギーインタフェースは電源インタフェース回路６に位置し、機能パネルは牽引フック５に位置する。
【００７３】
巻取式フレキシブル太陽光発電ストリップ４は複数の巻取式フレキシブル封止アセンブリモジュール８を備え、巻取式フレキシブル封止アセンブリモジュール８は封止布（例えば耐摩耗性裏地）９、ケーブル及びフレキシブル太陽電池アセンブリ１０を備える。巻取式フレキシブル封止アセンブリモジュール８の数は２〜１０個であってもよく、例えば６つであってもよい。巻取式フレキシブル封止アセンブリモジュール８の数が該範囲に限らず、実際の必要に応じて設定されてもよいことは理解すべきである。
【００７４】
図２〜図２ｂに示す例では、巻取式フレキシブル封止アセンブリモジュール８は１枚の耐摩耗性裏地９に貼り付けられる複数枚のフレキシブル太陽電池アセンブリ１０を備え、前記耐摩耗性裏地９は縁部を折り返し、包み効果をもたらし、シーラントでフレキシブル太陽電池アセンブリ１０の４つの辺を包む。フレキシブル太陽電池アセンブリ１０の数は２〜１２枚であってもよく、例えば６枚であってもよい。フレキシブル太陽電池アセンブリ１０の数が該範囲に限らず、実際の必要に応じて設定されてもよく、例えば、１枚の耐摩耗性裏地９に一枚のフレキシブル太陽電池アセンブリ１０を設置してもよいことは理解すべきである。
【００７５】
図２及び図４に示す例では、巻取式フレキシブル封止アセンブリモジュール８は３つのフレキシブル太陽電池アセンブリ１０を備え、各フレキシブル太陽電池アセンブリ１０はいずれも巻取機械装置に垂直である回転軸線方向に沿って延在し、且つ３つのフレキシブル太陽電池アセンブリ１０は巻取機械装置の回転軸線方向に沿って一列に配列され、同じ列に位置するフレキシブル太陽電池アセンブリ１０は巻取機械装置の回転軸線方向に沿って間隔をおいて配置される。
【００７６】
ケーブルは直列ケーブル１５及びバスケーブルハーネス１６を含み、直列ケーブル１５は同じ列のフレキシブル太陽電池アセンブリ１０の直列接続に用いられ、且つ直列ケーブル１５の両端はバスケーブルハーネス１６に接続される。
【００７７】
封止布９の表面に細管状収納用内ポケットが設置され、それはケーブルを収納することに用いられ、前記細管状収納用内ポケットは全体的なレイアウトが「Ｈ」型を呈し、細管状収納用内ポケットの中央水平部は横列アセンブリ１０の間の直列ケーブル１５を収納することに用いられ、図４に示すように、水平の直列ケーブル１５によって３つのフレキシブル太陽電池アセンブリ１０のアウトレットボックス１４を直列接続し、細管状収納用内ポケットの両側垂直部はバスケーブルハーネス１６の配置に用いられる。
【００７８】
収納用内ポケットは上記Ｈ型に限らず、他の形状を呈してもよく、例えば２つの垂直部及び１つの水平部を有するＵ型等が挙げられる。
【００７９】
前記巻取式フレキシブル封止アセンブリモジュール８の２つ又は４つの端部に「Ｔ」型バス装置１７が設計されて接続ポート１８が予め準備され、接続ポート１８は２つの巻取式フレキシブル封止アセンブリモジュール８の電気的並列接続を実現するように設置される。ケーブルが外縁に沿って配線される設計によって、巻取式フレキシブル封止アセンブリモジュール８の厚さを減少させることができると同時に、巻取式フレキシブル封止アセンブリモジュール８の垂直機械的強度を向上させることもできる。
【００８０】
封止布の表面の縁部に細管状収納用内ポケットが設計され、それはケーブルの配線及び接続に用いることができ、収納用内ポケットはフレキシブル太陽電池アセンブリ１０の後部と封止布９との間に設置されてもよい。
【００８１】
図５に示すように、「Ｔ」型バス装置１７は接続ケーブル１９及び３つのコネクタ１３を備え、３つのコネクタ１３は３つの同じコネクタ端子を形成し、電気上のスリーウェイ機能を形成し、コネクタ１３は防水シールを用いる。
【００８２】
接続ケーブルは「Ｔ」形状を呈し、コネクタ端子に形成されたインタフェースは接続ポート１８である。
【００８３】
３つのコネクタ１３は接続ケーブル１９の３つの端部に接続され、ケーブルの水平の直列ケーブル１５の一端及びバスケーブルハーネス１６は１つの「Ｔ」型バス装置１７における２つのコネクタ１３によって電気的に接続され、該「Ｔ」型バス装置１７における別のコネクタ１３は、２つの巻取式フレキシブル封止アセンブリモジュール８が並列接続される時に接続することに用いることができる。
【００８４】
巻取式フレキシブル封止アセンブリモジュール８はモジュール化設計を用いて、隣接する巻取式フレキシブル封止アセンブリモジュールは予め準備したコネクタ１３によって接続され、バスケーブルによって並列接続しコンフルエンスを実現し、電気容量の増加効果を実現することができる。
【００８５】
複数の巻取式フレキシブル封止アセンブリモジュール８は一組のバスケーブルによって並列接続されて標準列を形成し、バスケーブルは標準列数の数量と同じである、各組のバスケーブルは１つの最大電力追跡装置（すなわちＭＰＰＴ装置）に接続され、各組のバスケーブルは一本の正極ケーブルと一本の負極ケーブルを含む。各標準列はいずれも１つのＭＰＰＴ装置に対応し、このような設計は、標準列の最適な独立した発電制御を確保し、一部が破損、遮蔽されて、引き出されていなくても、正常の標準列は依然として最大効果で発電できる。各巻取式フレキシブル封止アセンブリモジュール８が一組のバスケーブルによって１つのＭＰＰＴ装置に接続されてもよく、この時、巻取式フレキシブル封止アセンブリモジュール８の数、バスケーブルの組数がＭＰＰＴ装置の数と同じであることは理解すべきである。
【００８６】
ローラ以外に、巻取機械装置は更にロッカーアーム及びアシストモータ８を備える。
【００８７】
前記ローラは巻取式フレキシブル太陽光発電ストリップ４の巻き付け収納に用いられ、ローラの両端にフランジが設計され、巻取式フレキシブル太陽光発電ストリップ４の位置制限に用いられ、前記ロッカーアームは収納可能なロッカーアームであり、ローラを回転することに用いられ、アシストモータ８はローラと連動し、電力でローラを回転する。前記ローラの直径は５５０ｍｍ以下であってもよく、例えば５００ｍｍであってもよい。ただし、ロッカーアーム及びアシストモータ８がそれぞれローラの手動回転及び電力駆動回転を実現し、ロッカーアーム及びアシストモータ８のうちの一方のみを設置してもよく、ローラを手動のみで回転させ又はモータのみで回転するように駆動することは理解すべきである。
【００８８】
各巻取式フレキシブル封止アセンブリモジュール８における封止布９の両端に複数のほぞ穴１１及びバックル１２が設置され、それらは巻取式フレキシブル太陽光発電ストリップ４と隣接する封止布９との機械的接続を固定することに用いられる。封止布９の両端に封止布と等幅の細長い棒状の硬質材料が設置され、それは封止布９を横切って、封止布の支持に用いられ、封止布が使用中に変形することを防止し、巻取式フレキシブル太陽光発電ストリップ４の水平機械的強度を向上させることができる。
【００８９】
ほぞ穴１１は複数あり、隣接する巻取式フレキシブル封止アセンブリモジュールにラッピイングされるように設置され、バックル１２は２つの巻取式フレキシブル封止アセンブリモジュールを接着接続するように設置され、硬質材料は封止布と等幅であり、細長い棒状を呈し、封止布の両端に設置され、封止布を横切る。
【００９０】
図３及び図３ａに示す例では、巻取式フレキシブル封止アセンブリモジュール８同士はコネクタ１３によって挿着されて電気システムに並列接続され、隣接する２つの巻取式フレキシブル封止アセンブリモジュール８同士はほぞ穴１１を通してラッピイングされ及びバックル（例えば面ファスナー）１２で接着接続される。
【００９１】
前記牽引式エネルギー貯蔵室は更に貼り付け式フレキシブル太陽電池アセンブリ装置を備えてもよく、それはエネルギー貯蔵室の頂板及び側板に直接実装され、頂板及び側板上のフレキシブル太陽電池アセンブリ装置は３つの標準列を構成することができ、各標準列は１つの最大電力追跡装置に接続される。前記貼り付け式フレキシブル太陽電池アセンブリ装置はＥＴＦＥ（ｅｔｈｙｌｅｎｅ−ｔｅｔｒａ−ｆｌｕｏｒｏ−ｅｔｈｙｌｅｎｅ、エチレン−テトラフルオロエチレン共重合体）フレキシブル封止設計を用いたフレキシブル太陽電池アセンブリであってもよく、牽引車体の開閉可能な頂部頂板及び立面側板に直接実装されてもよい。
【００９２】
牽引車体１の頂板及び側板に太陽電池アセンブリ装置を設置することにより、更に牽引式エネルギー貯蔵室の発電能力を高める。牽引車体１の頂板及び側板は回転開閉できるため、頂板及び側板上の太陽電池アセンブリ装置は日光に応じて最適な角度をなすことができ、太陽電池アセンブリ装置の発電効率の向上に役立つ。
【００９３】
牽引車体１の頂板及び側板にカバープレート・配線ダクトが設計される。すなわち、牽引車体１の頂板及び側板に配線ダクトが設計され、ケーブルの配線に用いられ、ケーブルは太陽電池アセンブリ装置を直並列接続することができ、且つ配線ダクトに盖板が設けられることにより、内部のケーブルを確保する。
【００９４】
いくつかの例では、太陽電池アセンブリ装置は牽引車体の側板の外表面に実装されてもよく、且つ牽引車体の側板の下端は外向きに展延できる。他の例では、太陽電池アセンブリ装置は牽引車体の側板の内表面に実装されてもよく、且つ牽引車体の側板の上端は外向きに展延できる。別の例では、太陽電池アセンブリ装置は牽引車体の側板の内表面及び外表面に実装されてもよく、且つ牽引車体の側板の上端は外向きに展延できる。側板は展延しない時、外表面上の太陽電池アセンブリ装置を利用して発電することができ、側板の上端は外向きに展延する時、内表面上の太陽電池アセンブリ装置を利用して発電することができる。
【００９５】
前記電気システムの一部又は全部を巻取機械装置の外部に設置してもよいが、一例では、前記巻取機械装置の内部に電気システムが設置され、電気システムは最大電力追跡装置、直流電源、充電回路、交流電源、電池及びパネル回路を備え、各組のバスケーブルは１つの最大電力追跡装置に接続され、最大電力追跡装置は直流電源を通してから電池及び交流電源のうちのいずれか１つ又は２つに接続され、最終的にパネル回路に接続され、前記直流電源と交流電源との間にインバータが接続され又は交流電源にインバータが付けられる。
【００９６】
各最大電力追跡装置ＭＰＰＴの電力は１２００Ｗであってもよい。
【００９７】
前記直流電源は、変動する太陽光発電を安定する直流電源に転換し、電池を充電し、外部直流電気製品及び内部直流電気製品が動作するように駆動するように（例えば、巻取機械装置のモータ、インバータ等に給電する）設置される。直流電源は５Ｖ、１２Ｖ、２４Ｖの複数の電圧レベルの直流電流を出力することができ、電力は１０００Ｗであってもよい。
【００９８】
前記交流電源にインバータが付けられ、直流電源又は電池からの直流電流をインバータによって１１０Ｖ又は２２０Ｖの交流電源に転換して外部交流電気製品に供給して使用するように設置され、電力は１２００Ｗであってもよい。
【００９９】
電池はエネルギーを蓄積するように設置され、電力貯蔵用電池とも称され、リチウム電池を利用してもよく、蓄積エネルギーは２０００Ｗｈであってもよい。
【０１００】
充電回路は外部に日光がなく又は太陽光発電を利用しない時、外部から接続される交流電流を利用して電池を充電する。
【０１０１】
パネル回路は保護回路を備え、保護回路はヒューズを利用して出力電源を保護し、短絡を防止し、パネルは交流コンセント、直流コンセント、ＵＳＢコンセント及び充電インタフェースを備える。
【０１０２】
パネルは保護回路に電気的に接続され、入出力ポートはパネルに位置し、入出力ポートは入力ポート及び出力ポートを含む。
【０１０３】
例示的な一実施例において、入出力ポートは交流コンセント、直流コンセント、ＵＳＢコンセント及び充電インタフェースに位置し、交流コンセント、直流コンセント、ＵＳＢコンセントの差し込み口は出力ポートであり、充電インタフェースの差し込み口は入力ポートである。
【０１０４】
パネル、パネル回路、保護回路、入出力ポート、機能パネル、電気システム、電源インタフェース回路及びエネルギーインタフェースの関係は以下のとおりである。
【０１０５】
パネル回路は保護回路を備え、パネルに入出力ポートが設置され、
機能パネルはエネルギー貯蔵室の立面に設置され、電源インタフェース回路（外部電力消費車両に給電するエネルギーインタフェースは電源インタフェース回路に位置する）、エネルギースイッチ及びデータディスプレイ（すなわち、図６におけるディスプレイ）を備え、機能パネルは電気システムから独立する。
【０１０６】
バス装置、コネクタ、接続ポート、コネクタ端子の関係は以下のとおりである。
【０１０７】
バス装置は３つのコネクタを備え、コネクタはコネクタ端子を有し、コネクタ端子に形成されたインタフェースは接続ポートであり、ケーブルの一端にコネクタを設置してもよい（図４参照）。
【０１０８】
図６には牽引式エネルギー貯蔵室内の回路の構造模式図を例示的に示す。
【０１０９】
牽引車体の太陽光発電装置は３つの標準列を形成し、牽引車体の側板上の太陽電池アセンブリ装置は２つの標準列を形成し、それぞれ標準列Ｔ１及び標準列Ｔ２であり、牽引車体の頂板上の太陽電池アセンブリ装置は１つの標準列を形成し、標準列Ｔ３である。該３つの標準列Ｔ１〜Ｔ３はそれぞれ３つの最大電力追跡装置（それぞれはＭＰＰＴ装置Ｄ１〜ＭＰＰＴ装置Ｄ３である）によって直流電源に電気的に接続される。
【０１１０】
巻取式フレキシブル封止太陽光発電装置２における巻取式フレキシブル太陽光発電ストリップは３つの標準列を形成し、それぞれは標準列Ｔ４〜標準列Ｔ６であり、該３つの標準列Ｔ４〜Ｔ６はそれぞれ別の３つの最大電力追跡装置（それぞれはＭＰＰＴ装置Ｄ４〜ＭＰＰＴ装置Ｄ６である）によって直流電源に電気的に接続される。
【０１１１】
直流電源は保護回路、電力貯蔵用電池に電気的に接続されてもよく、且つインバータによって交流電源に電気的に接続されてもよく、直流電源、交流電源は保護回路に電気的に接続されてもよく、保護回路はパネルの入出力ポート、例えば充電インタフェース、交流コンセント、２つの直流コンセント（それぞれは直流コンセントＳ１及び直流コンセントＳ２である）、ディスプレイ、エネルギーインタフェース等に電気的に接続される。充電回路が電力貯蔵用電池に電気的に接続されることにより、必要な時に外部の交流電流を利用して電力貯蔵用電池を充電する。
【０１１２】
使用時に、フレキシブル太陽光発電に基づく牽引式エネルギー貯蔵室は自動車の後部に牽引されて、牽引システムにおけるエネルギーインタフェース回路によって自動車に給電し、エネルギー貯蔵室の頂板及び側板にいずれもフレキシブル太陽電池アセンブリ装置を取り付けることで発電し、電気エネルギーを生成することができ、大電力で発電する必要がある時、頂板を開けると、巻軸上の巻取式フレキシブル太陽光発電ストリップを展延し、発電することができ、内部に電力貯蔵用電池が設置されるため、日光が十分でない場合でも安定して給電でき、該フレキシブル太陽光発電に基づく牽引式エネルギー貯蔵室は長時間の野外使用に適して、電力がより大きな電気製品に給電できると同時に、収納しやすく、使用しない時、占有スペースがより小さい。
【０１１３】
以上の実施例は本出願を具体的に説明するためのものであり、本出願の保護範囲を制限するためのものではなく、本出願の保護範囲は特許請求に準じる。本分野の公知技術及び本出願に開示される技術的解決手段に基づき、多くの変形案を導出又は連想することができ、これらの変形案はすべて本出願の保護範囲に含まれると見なされる。
【図１】
2019009990.tif 000003
【図２】
2019009990.tif 000004
【図２ａ】
2019009990.tif 000005
【図２ｂ】
2019009990.tif 000006
【図３】
2019009990.tif 000007
【図３ａ】
2019009990.tif 000008
【図４】
2019009990.tif 000009
【図５】
2019009990.tif 000010
【図６】
2019009990.tif 000011